(57)【要約】【課題】  ボールマーカーとホルダーとの接触面積を大きくし、且つホルダーからボールマーカーを容易に取り外しできるようにすること。【解決手段】  ゴルフのボールマーカーと、該ボールマーカーを保持するためのホルダーとからなるマーカーホルダーであって、前記ボールマーカーに磁石を配設させると共に、前記ホルダーを磁性体で形成し、前記ボールマーカーとホルダーとの少なくとも一面を平面状に形成して該平面どうしを接触させて前記ホルダーに前記ボールマーカーを磁着させる構成にすることで、ボールマーカーとホルダーとの接触面積を大きくできると共に、ホルダーからボールマーカーを容易に取り外しできるようにすることができるようになる。【選択図】図１
0003111042.tif 000002
【実用新案登録請求の範囲】
【請求項１】
ゴルフのボールマーカーと、該ボールマーカーを保持するためのホルダーとからなるマーカーホルダーであって、
前記ボールマーカーに磁石を配設させると共に、前記ホルダーを磁性体で形成し、
前記ボールマーカーとホルダーとの少なくとも一面を平面状に形成して該平面どうしを接触させて前記ホルダーに前記ボールマーカーを磁着させる構成であること
を特徴とするゴルフ用のマーカーホルダー。
【請求項２】
前記ボールマーカーは、
平面状に形成された面に凹部を形成して該凹部に磁石を配設させること
を特徴とする請求項１に記載のゴルフ用のマーカーホルダー。
【請求項３】
前記ボールマーカーは、
略板状に形成し、平面状に形成された面の裏面を曲面状に形成させたこと
を特徴とする請求項１または２に記載のゴルフ用のマーカーホルダー。
【請求項４】
前記ホルダーには、
該ホルダーを吊り下げるための懸吊部材を設け、
該懸吊部材の他端に係止用部材を設けたこと
を特徴とする請求項１に記載のゴルフ用のマーカーホルダー。
【請求項５】
前記係止用部材は、
略矩形状の板材の長辺を折り返して形成してベルトに係止できるようにしたこと
を特徴とする請求項４に記載のゴルフ用のマーカーホルダー。
【考案の詳細な説明】
【技術分野】
【０００１】
本考案は、磁石が配設されたゴルフのボールマーカーをホルダーに磁着させて容易に携行保持できるようにしたものであり、ボールマーカーを使用する際には該ボールマーカーをスライドさせるだけでホルダーから容易に取り外せるようにしたゴルフ用のマーカーホルダーに関するものである。
【背景技術】
【０００２】
従来、この種の磁石を用いたマーカーホルダーとしては、例えば、帽子の庇または帽子の周縁の被覆内装に、扁平状の磁石板を積層状に挟着してなり、強磁性体小品のコイン状のゴルフボールマーカー、小物部品の釘、小ネジ等を吸着して携行可能とすることを特徴とする磁石板を着装する帽子がある（特許文献１参照）。
【０００３】
この特許文献１の従来技術においては、扁平状に形成した磁石板を帽子の庇または帽子の周縁の被覆内装に配設する、即ち帽子の庇または帽子の周縁（頭部近傍）をホルダーにし、該ホルダー側に磁石を配設させたものであり、該帽子の庇または帽子の周縁のホルダーにゴルフボールマーカー等を吸着させて携行可能としたものである。
【０００４】
また、磁石を用いたマーカーホルダーを下腹部近傍に係止できるものとしては、例えば、磁性体からなる円板状のゴルフのボールマーカーと、非磁性体からなる円板状を呈する表面および裏面の両面に前記ボールマーカーを保持する凹部を形成すると共に、該凹部の底面に露出するように中心部に磁石を配設したホルダ部と、このホルダ部を吊り下げるために前記ホルダ部と接続した懸吊部および該懸吊部の先端に着脱自在の留め金を接続したゴルフのボールマーカー用ホルダがある（特許文献２参照）。
【０００５】
この特許文献２の従来技術においては、凹部が形成され、該凹部の底面に磁石が配設されたホルダ部に磁性体からなるボールマーカーを磁着させる、即ちホルダ部に磁石を配設させたものであり、ホルダ部からボールマーカーを取り外す場合には、凹部に形成されたテーパー状の切欠き側にボールマーカーをスライドまたは押圧し、該ボールマーカーを傾斜させて取り外すようにするものである。
【０００６】
また、この特許文献２の従来技術においては、ボールマーカー用ホルダに設けられた留め金を用い、該留め金をズボンに設けられたベルトの通し穴またはベルトに配されたリングに係止させることができるようになっているものであり、この留め金は、Ｃ字形の着脱自在の留め金であり、レバーを開閉させてベルトの通し穴またはベルトに配されたリングに係止させるものである。
【特許文献１】実用新案登録第３１０３３５３号公報
【特許文献２】実用新案登録第３０９６４５３号公報
【考案の開示】
【考案が解決しようとする課題】
【０００７】
しかしながら、前記特許文献１の公知技術においては、帽子の庇または帽子の周縁という屈曲するところの被覆内装に磁石板を配設させてホルダーとする構成であると共に、大型の磁石板を必要とすることから、該磁石板の製造が困難であり、また屈曲した帽子の庇または帽子の周縁のホルダーと、コイン状のゴルフボールマーカーとでは、接触面積が小さくなってしまうため、携行中に外れてしまい気づかないうちに遺失してしまうことがあるという問題点を有している。
【０００８】
前記特許文献２の公知技術においては、ホルダ部に形成された凹部の底面に磁石が配設されており、この凹部にボールマーカーを取り付ける構成であるため、磁石にしっかりと磁着したボールマーカーを凹部から指先乃至爪先を用いて取り外すことが容易でなく、そのため、ホルダ部の外周と凹部の間のリムの１箇所または対向箇所にリムの内側または全体を除去した切欠きを設けたり、凹部の底面の外周側に半月状の凹みを１箇所または対向箇所に設けたりしてボールマーカーを取り外しやすくしているものであるが、凹部に取り付けられたボールマーカーをスライドさせたり、押圧したりして僅かに傾斜させただけでは、磁石にしっかりと磁着したボールマーカーを凹部から容易に取り外すことができるとは未だいえないものであるばかりでなく、ボールマーカーをホルダ部に形成された凹部に配設させる構成であることから、必然的にボールマーカーよりも大きなホルダ部にしなければならなくなり、携行に際して嵩張るようになる。
【０００９】
また、前記特許文献２の公知技術においては、ボールマーカー用ホルダに設けられた留め金をズボンに設けられたベルトの通し穴等に係止させるものであるが、ボールマーカーを取り外す際には、ボールマーカーをスライドさせたり、押圧したりすることから、ボールマーカーを取り外す際にズボンに設けられたベルトの通し穴が損傷する、即ち切れてしまうことがある。
【００１０】
従って、従来のゴルフ用のマーカーホルダーにおいては、ボールマーカーとホルダーとの接触面積を大きくし、且つホルダーからボールマーカーを容易に取り外しできる構成にするということに解決しなければならない課題を有している。
【課題を解決するための手段】
【００１１】
上記した従来例の課題を解決する具体的手段として本考案に係るゴルフ用のマーカーホルダーは、ゴルフのボールマーカーと、該ボールマーカーを保持するためのホルダーとからなるマーカーホルダーであって、前記ボールマーカーに磁石を配設させると共に、前記ホルダーを磁性体で形成し、前記ボールマーカーとホルダーとの少なくとも一面を平面状に形成して該平面どうしを接触させて前記ホルダーに前記ボールマーカーを磁着させる構成であることを最も主要な特徴とする。
【００１２】
この考案において、前記ボールマーカーは、平面状に形成された面に凹部を形成して該凹部に磁石を配設させること；前記ボールマーカーは、略板状に形成し、平面状に形成された面の裏面を曲面状に形成させたこと；前記ホルダーには、該ホルダーを吊り下げるための懸吊部材を設け、該懸吊部材の他端に係止用部材を設けたこと；前記係止用部材は、略矩形状の板材の長辺を折り返して形成してベルトに係止できるようにしたこと；を付加的な要件として含むものである。
【考案の効果】
【００１３】
本考案に係るゴルフ用のマーカーホルダーは、ゴルフのボールマーカーと、該ボールマーカーを保持するためのホルダーとからなるマーカーホルダーであって、前記ボールマーカーに磁石を配設させると共に、前記ホルダーを磁性体で形成し、前記ボールマーカーとホルダーとの少なくとも一面を平面状に形成して該平面どうしを接触させて前記ホルダーに前記ボールマーカーを磁着させる構成にしたため、ボールマーカーとホルダーとの接触面積を大きくできて携行中気づかないうちに外れてしまい遺失してしまうということをなくすことができ、且つこのようにボールマーカーとホルダーとの接触面積を大きくした場合であってもボールマーカーをスライドさせるだけで、ホルダーからボールマーカーを容易に取り外すことができるという優れた効果を奏する。
【００１４】
更に、ホルダーに懸吊部材を配設し、略矩形状の板材の長辺を折り返して形成した係止用部材を前記懸吊部材の他端に配設させ、前記係止用部材をズボンに設けられたベルトの通し穴よりもしっかりと形成されているベルト自体に直接的に係止するようにすることにより、ボールマーカーをホルダーから取り外す際にベルトやズボンに設けられたベルトの通し穴等が損傷するということを防止することができるという優れた効果を奏する。
【考案を実施するための最良の形態】
【００１５】
次に、本考案を具体的な実施の形態に基づいて詳しく説明する。
本考案の実施の形態に係るゴルフ用のマーカーホルダー１において、ゴルフのボールマーカー２をホルダー３に取り付ける前の状態を略示的に示した平面図を図１に示し、ゴルフのボールマーカー２をホルダー３に取り付けた状態のマーカーホルダー１を略示的に示した断面図を図２に示してある。
【００１６】
ゴルフ用のマーカーホルダー１は、ゴルフのボールマーカー２と、該ボールマーカー２を保持するためのホルダー３とから構成されている。これらボールマーカー２とホルダー３とは、少なくとも一面、即ち少なくともこれらボールマーカー２とホルダー３との接触面となる側のそれぞれの面が平面状に形成されている。
【００１７】
ボールマーカー２の接触面となる側の平面状に形成された面には、凹部２ａが形成されており、該凹部２ａには磁石４が配設されている。なお、磁石４は、ボールマーカー２に凹部２ａを形成して、該凹部２ａに配設させることが好ましいが、これに限定するものではなく、例えば、ボールマーカー２内における平面状に形成された面の近傍に埋め込んだり、ボールマーカー２の接触面の全体に磁石４を設けたりしても良く、更にはボールマーカー２自体を磁石で形成することも含むものである。
【００１８】
ボールマーカー２は、ホルダー３との接触面となる側の面が平面状に形成されていれば、例えば、円板状、矩形板状または円柱状等のいずれの形状に形成しても良いが、例えば、円板状等の略板状に形成し、平面状に形成された面の裏面、即ち前記ホルダー３との接触面となる側の面とは反対側の面を曲面状に形成することが好ましく、また、この曲面状に形成した面に図柄等を印刷しても良い。
【００１９】
前記ホルダー３は、例えば、鉄等の磁性体を用いて形成されている。このホルダー３は、例えば、図１及び図２に示したように略円板状等の板状に形成することが好ましく、該ホルダー３を板状に形成した場合には、表裏面のいずれの面にもボールマーカー２を取り付けることができるようになる。
【００２０】
このように、ボールマーカー２に磁石４を配設し、ホルダー３を磁性体を用いて形成し、これらボールマーカー２とホルダー３との少なくとも接触面となる側のそれぞれの面を平面状に形成して、これらボールマーカー２とホルダー３と平面どうしを接触させることにより、前記ボールマーカー２とホルダー３との接触面積を大きくしてホルダー３にールマーカー２を磁着させることができるため、容易に外れてしまうようなことがなく、また、ホルダー３からボールマーカー２を取り外す際には、これらの接触面が平面状であるので、ボールマーカー２をスライドさせるだけで、ボールマーカー２に配設された磁石４と磁性体からなるホルダー３との接触面積を減少乃至なくして、ボールマーカー２をホルダー３から容易に取り外すことができるのである。つまり、ホルダー３にしっかりと磁着されたボールマーカー２を傾斜または持ち上げて取り外そうとした場合には、相当の力を要して取り外すことが困難であるが、ボールマーカー２をスライドさせるのであれば少ない力でも容易にスライドさせることができ、このようにボールマーカー２をスライドさせてボールマーカー２に配設された磁石４とホルダー３との接触面積を減少乃至なくしてしまえば、ホルダー３からボールマーカー２を容易に取り外しすることができるのである。
【００２１】
また、例えば、ボールマーカー２を円板状等の略板状に形成し、該ボールマーカー２の接触面となる側の平面状に形成された面に円形状の凹部２ａを形成し、該凹部２ａに円板状の磁石４を配設し、ホルダー３を略円板状等の板状に形成した場合には、マーカーホルダー１を極めて容易に製造することができるし、更に使用する磁石４の大きさに拘わらずボールマーカー２を形成することができ、仮に小型の磁石４を用いたとしてもボールマーカー２をホルダー３にしっかりと磁着させることができ、更に、ボールマーカー２とホルダー３とを面で接触させて保持しているため、ボールマーカー２の大きさに拘わらずホルダー３の大きさを決めることができる、即ち、ボールマーカー２よりも小型のホルダー３にしても良いのである。
【００２２】
更に、ホルダー３には、例えば、チェーン等の該ホルダー３を吊り下げるための懸吊部材５を設け、該懸吊部材５の他端に係止用部材６を設けても良い。これら懸吊部材５と係止用部材６とは、非磁性体を用いて形成する。
【００２３】
この係止用部材６としては、例えば、図２に示したように略矩形状の板材の長辺をコの字状に折り返して形成したもの等を使用することが好ましく、このように形成した係止用部材６を図３に示したようにズボンのベルト７に直接的に係止させるものである。また、コの字状に折り返した係止用部材６の端部６ａ寄りを、図２に示したように稍外側に折り曲げて、ベルト７に係止させやすくしても良い。
【００２４】
このように、ホルダー３に懸吊部材５を配設し、該懸吊部材５の他端に係止用部材６を配設して、該係止用部材６として略矩形状の板材の長辺を折り返して形成し、この係止用部材６をズボンのベルト７自体に直接的に係止させた場合には、従来技術のように容易に切れてしまう可能性のあるベルトの通し穴に係止させることと比較して、ベルトやズボンに設けられたベルトの通し穴等が損傷するという可能性を低減し防止することができるようになるのである。
【図面の簡単な説明】
【００２５】
【図１】本考案の実施の形態に係るゴルフ用のマーカーホルダーを略示的に示した図であり、該マーカーホルダーにおけるボールマーカーをホルダーに取り付ける前の状態を略示的に示した平面図である。
【図２】同マーカーホルダーにおけるボールマーカーをホルダーに取り付けた状態を略示的に示した断面図である。
【図３】同マーカーホルダーを使用者のベルト（下腹部近傍）に係止した状態を略示的に示した正面図である。
【符号の説明】
【００２６】
１  ゴルフ用のマーカーホルダー
２  ゴルフのボールマーカー
２ａ  凹部
３  ホルダー
４  磁石
５  懸吊部材
６  係止用部材
６ａ  係止用部材の端部
７  ベルト
【図１】
0003111042.tif 000003
【図２】
0003111042.tif 000004
【図３】
0003111042.tif 000005